(57)【要約】      （修正有）【課題】薬液等の液体を対象となる部位以外に塗布しないようにする綿棒を提供する。【解決手段】液体を含侵させ塗布するための吸収部３１と、前記液体を撥液する撥液部４１と、を具備する頭部２１と、前記吸収部と、前記撥液部との境界を示す境界部５１と、を有し、前記境界部は、前記吸収部と、前記撥液部とを２分する綿棒。【選択図】図１
2020044117.tif 000002
【特許請求の範囲】
【請求項１】
液体を含侵させ塗布するための吸収部と、前記液体を撥液する撥液部と、を具備する頭部と、
前記吸収部と、前記撥液部との境界を示す境界部と、を有し、
前記境界部は、前記吸収部と、前記撥液部とを２分する綿棒。
【請求項２】
前記頭部を保持するとともに、使用者が把持するための所定の長手方向を有する軸部と、を有し、前記境界部は、前記軸部の長手方向に平行である請求項１記載の綿棒。
【請求項３】
前記頭部を保持するとともに、使用者が把持するための所定の長手方向を有する軸部と、を有し、前記境界部は、前記軸部の長手方向に垂直である請求項１記載の綿棒。
【請求項４】
液体を含侵させ塗布するための吸収部と、前記液体を撥液する撥液部と、を具備する頭部と、
前記頭部を保持するとともに、使用者が把持するための所定の長手方向を有する軸部と、
前記吸収部と、前記撥液部との境界を示す境界部と、を有し、
前記境界部は、側面視において、前記軸部の長手方向と平行な第１直線部と、
前記第１直線部から屈折して接続した屈曲部と、
側面視において、前記軸部の長手方向と平行かつ前記屈曲部と接続した第２直線部と、を、さらに有し、
前記頭部における前記直線部と、前記屈曲部と、第２直線部と、を有する前記境界部が、前記吸収部と前記撥液部とを２分し、前記吸収部の領域が前記撥液部の領域よりも大である綿棒。
【請求項５】
液体を含侵させ塗布するための吸収部と、前記液体を撥液する撥液部と、を具備する頭部と、
前記頭部を保持するとともに、使用者が把持するための所定の長手方向を有する軸部と、
前記吸収部と、前記撥液部との境界を示す境界部と、を有し、
前記境界部は、側面視において、前記軸部の長手方向と平行な第１直線部と、
前記第１直線部から屈折して接続した屈曲部と、
側面視において、前記軸部の長手方向と平行かつ前記屈曲部と接続した第２直線部と、を、さらに有し、
前記頭部における前記直線部と、前記屈曲部と、第２直線部と、を有する前記境界部が、前記吸収部と前記撥液部とを２分し、前記撥液部の領域が、前記吸収部の領域よりも大である綿棒。
【請求項６】
前記軸部は、合成樹脂で作成する請求項２から５いずれか１項記載の綿棒。
【請求項７】
前記請求項１から６いずれか１項記載の綿棒における吸収部に、薬液を浸潤させるとともに、前記綿棒を、水密性を保持するように封入したパック。
【請求項８】
前記薬液は、稀ヨードチンキ液である請求項７記載のパック。
【発明の詳細な説明】
【技術分野】
【０００１】
本発明は、綿棒に関するものである。
【背景技術】
【０００２】
綿棒は、医療現場や家庭などで薬剤を塗布したり、化粧又は細部をクリーニングする際に広く使用されている。綿棒とは、薬剤などの液体を含浸させるために特に綿などの繊維を丸めたもので構成される綿体部と、その綿体部を先端に配置するとともにその綿体部を支持し、使用者が把持する軸部とを有するものであり、その軸部は紙製又は合成樹脂で作成されたものが知られている。
【０００３】
例えば特開２００５-１９８７３９号公報に開示されている綿棒は、軸の端部に繊維塊状部を取り付け、軸表面の一部には、指で軸を把持する部位を示す所定幅の把持領域が軸と異なる色で表示されているというものである。
【０００４】
上記発明に係る綿棒は、軸表面の一部に、把持する部位が示されているので、使用時に正しい位置を把持することができるものである。しかしながら、綿などの繊維を丸めたもので構成される繊維塊状部に、薬液を含侵させ、その繊維塊状部に含侵させた薬液を、対象となる部位に塗布する場合に、対象となる部位以外に、その薬液を塗布してしまう場合がある。
【０００５】
例えば、使用者の口腔内において、歯に薬剤を塗布する場合において上記発明に係る綿棒を使用すると、薬液を塗布する対象である歯に、その薬剤を塗布することができるものの、その使用者のほほの内側にもその薬液が塗布されてしまい、対象となる部位以外に、その薬液を塗布されてしまうという問題が生じる。
【先行技術文献】
【特許文献】
【０００６】
【特許文献１】特開２００５-１９８７３９号公報
【発明の開示】
【発明が解決しようとする課題】
【０００７】
本発明は前記の点に着目してなされたもので、その課題は、薬液等の液体を対象となる部位以外に塗布しないようにする綿棒を提供することである。
【課題を解決するための手段】
【０００８】
前記の課題を解決する第１観点の綿棒は、液体を含侵させ塗布するための吸収部と、液体を撥液する撥液部と、を具備する頭部と、吸収部と、撥液部との境界を示す境界部と、を有し、境界部は、吸収部と、撥液部とを２分するというものである。
【０００９】
また、第２観点の綿棒は、第１観点において、頭部を保持するとともに、使用者が把持するための所定の長手方向を有する軸部と、を有し、境界部は、軸部の長手方向に平行であるというものである。
【００１０】
また、第３観点の綿棒は、第１観点において、頭部を保持するとともに、使用者が把持するための所定の長手方向を有する軸部と、を有し、境界部は、軸部の長手方向に垂直であるというものである。
【００１１】
また、第４観点の綿棒は、液体を含侵させ塗布するための吸収部と、液体を撥液する撥液部と、を具備する頭部と、頭部を保持するとともに、使用者が把持するための所定の長手方向を有する軸部と、吸収部と、撥液部との境界を示す境界部と、を有し、境界部は、側面視において、軸部の長手方向と平行な第１直線部と、第１直線部から屈折して接続した屈曲部と、側面視において、軸部の長手方向と平行かつ屈曲部と接続した第２直線部と、を、さらに有し、頭部における直線部と、屈曲部と、第２直線部と、を有する境界部が、吸収部と撥液部とを２分し、吸収部の領域が撥液部の領域よりも大であるというものである。
【００１２】
また、第５観点の綿棒は、液体を含侵させ塗布するための吸収部と、液体を撥液する撥液部と、を具備する頭部と、頭部を保持するとともに、使用者が把持するための所定の長手方向を有する軸部と、吸収部と、撥液部との境界を示す境界部と、を有し、境界部は、側面視において、軸部の長手方向と平行な第１直線部と、第１直線部から屈折して接続した屈曲部と、側面視において、軸部の長手方向と平行かつ屈曲部と接続した第２直線部と、を、さらに有し、頭部における直線部と、屈曲部と、第２直線部と、を有する境界部が、吸収部と撥液部とを２分し、撥液部の領域が、吸収部の領域よりも大であるというものである。
【００１３】
また、第６観点の綿棒は、第２観点から第５観点において、軸部は、合成樹脂で作成するというものである。
【００１４】
また、第７観点のパックは、第１観点から第６観点の綿棒における吸収部に、薬液を浸潤させるとともに、綿棒を、水密性を保持するように封入したというものである。
【００１５】
また、第８観点のパックは、第７観点において、その薬液は、稀ヨードチンキ液であるというものである。
【発明の効果】
【００１６】
本発明は以上のように構成され、かつ、作用するものであるから、薬液等の液体を対象となる部位以外に塗布しないようにする綿棒を提供することができる。
【図面の簡単な説明】
【００１７】
【図１】Ａは、第１実施例の綿棒の正面図である。Ｂは、Ａの右側面図である。Ｃは、Ａの左側面図である。
【図２】Ａは、第２実施例の綿棒の正面図である。Ｂは、Ａの右側面図である。Ｃは、Ａの左側面図である。
【図３】Ａは、第３実施例の綿棒の正面図である。Ｂは、Ａの右側面図である。Ｃは、Ａの左側面図である。
【図４】Ａは、第４実施例の綿棒の正面図である。Ｂは、Ａの右側面図である。Ｃは、Ａの左側面図である。
【図５】第１実施例の綿棒をパックに封入した状態を示す概念図である。
【発明を実施するための最良の形態】
【００１８】
以下、図示の実施形態を参照して本実施例について説明する。第１実施例の綿棒１０は、主として滅菌した脱脂綿を固めた球状または長円球状を呈する頭部２１と、軸部１００とを有するものである。
【００１９】
頭部２１は、脱脂綿にかぎらず、合成繊維を丸めて構成しても好ましい。軸部１００は、図示しない使用者が把持するため、長手方向Ｘに、所定の長さを有し、かつその断面形状は丸軸である。また、所定の長さとは、１５０ミリメートル程度が好ましい。また、その径は３ミリメートルが好ましい。なお軸部１００は紙軸又は合成樹脂性であることが好ましい。これについては、後述する。
【００２０】
頭部２１は、液体を含侵させその液体を塗布するための吸収部３１と、液体を吸収しないで弾く撥液部４１と、それらの境界線を規定する境界部５１と、を有する。吸収部３１は、上記のとおり液体を吸収し、それを保持するものであり、脱脂綿にかぎらず合成繊維丸めて構成しても好ましい。すなわち吸収部３１は、上記頭部２１を構成している上述の脱脂綿、合成繊維を丸めたものそのものが露出するという構成である。
【００２１】
それに対して、撥液部４１は、文字通り液体を弾いて吸収しない、いわば撥液するというものであり、例えば、脱脂綿にかぎらず、合成繊維で構成した頭部２１の一部に、撥液する合成樹脂を塗布することで構成することができる。例えば、衛生的なゴム、合成樹脂、撥水塗料がこれに該当する。すなわち、上記頭部２１の表面に、撥液する合成樹脂をコーティングすることで、撥液部４１を構成している。従って、上記頭部２１を構成している上述の脱脂綿または、合成繊維を丸めたものそのものが露出しないという構成である。もっとも、撥液部４１を全部合成樹脂で構成することで、液体を弾いて、吸収しないものとしても好ましい。
【００２２】
第１実施例の綿棒１０の境界部５１は、頭部２１に配置され、かつ軸部１００の長手方向Ｘと平行に配置されており、この境界部５１によって、吸収部３１の領域と、撥液部４１の領域が２分される。また、この境界部５１が、軸部１００の径の中心を通り、その軸部１００の長さ方向に平行である場合は、吸収部３１の領域と、撥液部４１の領域がほぼ、２等分される。従ってこのような場合は、図１Ｂ、Ｃで示したとおり、頭部２１の下半分が吸収部３１の領域であり上半分が撥液部４１の領域となる。尚、撥液部４１は、脱脂綿または合成繊維で構成した頭部２１の一部の表面のみを、撥液する塗料又は合成樹脂でコーティングすることで構成した場合において、その内部は、脱脂綿または合成繊維で構成されている。従って、吸収部３１から吸収された液体は、その内部における脱脂綿または合成繊維においても染み込み、その液体を一時的に保持することができる。よって、薬液を吸収部３１によって、塗布する場合に、その内部における脱脂綿または合成繊維は、その薬液の供給元となることができる。
【００２３】
次に第２実施例の綿棒１２について説明する。第２実施例の綿棒１２についても、主として滅菌した脱脂綿を固めた球状または長円球状を呈する頭部２２と、軸部１００とを有するものである。なお、軸部１００の構成は、第１実施例の綿棒１０の軸部１００と同様であるので同じ符号を付しその説明は省略する。
【００２４】
頭部２２は、脱脂綿にかぎらず、合成繊維を丸めて構成しても好ましい。また、頭部２２は、液体を含侵させその液体を塗布するための吸収部３２と、液体を吸収しないで弾く撥液部４２と、それらの境界線を規定する境界部５２と、を有する。吸収部３２は、上記のとおり液体を吸収し、それを保持するものであり、脱脂綿にかぎらず合成繊維で構成しても好ましい。すなわち上記頭部２２を構成している上述の脱脂綿、合成繊維を丸めたものそのものが露出するという構成である。
【００２５】
それに対して、撥液部４２は、文字通り液体を弾いて吸収しない、いわば撥液するというものであり、例えば、脱脂綿にかぎらず、合成繊維で構成した頭部２２の一部に、撥液する合成樹脂を塗布することで構成することができる。例えば、衛生的なゴム、合成樹脂、撥水塗料がこれに該当する。すなわち、上記頭部２２の表面に、撥液する合成樹脂をコーティングすることで、撥液部４２を構成している。もっとも、撥液部４２を全部合成樹脂で構成することで、液体を弾いて、吸収しないものとしても好ましい。
【００２６】
第２実施例の綿棒１０の境界部５２は、頭部２２に配置され、かつ軸部１００の長手方向Ｘに対して垂直に配置されており、さらにこの境界部５２が、頭部２２の先端部２２ａから、頭部軸線２２ｂの３分の１の長さの位置に配置された境界部５２によって、吸収部３２の領域と、撥液部４２の領域が２分される。従ってこのような場合は、図２Ｂで示したとおり、頭部２２の左側が吸収部３２の領域であり、右側が撥液部４２の領域となる。尚、撥液部４２は、脱脂綿または合成繊維で構成した頭部２２の一部の表面のみを、撥液する塗料又は合成樹脂でコーティングすることで構成した場合において、その内部は、脱脂綿または合成繊維で構成されている。従って、吸収部３２から吸収された液体は、その内部における脱脂綿または合成繊維においても染み込み、その液体を一時的に保持することができる。よって、薬液を吸収部３２によって、塗布する場合に、その内部における脱脂綿または合成繊維は、その薬液の供給元となることができる。
【００２７】
次に第３実施例の綿棒１３について説明する。第３実施例の綿棒１３についても、主として滅菌した脱脂綿を固めた球状または長円球状を呈する頭部２３と、軸部１００とを有するものである。なお、軸部１００の構成は、第１実施例の綿棒１０の軸部１００と同様であるので同じ符号を付しその説明は省略する。
【００２８】
頭部２３は、脱脂綿にかぎらず、合成繊維を丸めて構成しても好ましい。また、頭部２３は、液体を含侵させその液体を塗布するための吸収部３３と、液体を吸収しないで弾く撥液部４３と、それらの境界線を規定する境界部５３と、を有する。吸収部３３は、上記のとおり液体を吸収し、それを保持するものであり、脱脂綿にかぎらず合成繊維で構成しても好ましい。すなわち、吸収部３３は上記頭部２３を構成している上述の脱脂綿、合成繊維を丸めたものそのものが露出するという構成である。
【００２９】
それに対して、撥液部４３は、文字通り液体を弾いて吸収しない、いわば撥液するというものであり、例えば、脱脂綿にかぎらず、合成繊維で構成した頭部２３の一部に、撥液する合成樹脂を塗布することで構成することができる。例えば、衛生的なゴム、合成樹脂、撥水塗料がこれに該当する。すなわち、上記頭部２３の表面に、撥液する合成樹脂をコーティングすることで、撥液部４３を構成している。もっとも、撥液部４３を全部合成樹脂で構成することで、液体を弾いて、吸収しないものとしても好ましい。
【００３０】
第３実施例の綿棒１３の境界部５３は、頭部２３に配置されている。また、境界部５３は、第１直線部５３ａと、その第１直線部５３ａから屈折して接続した屈曲部５３ｂと、その屈曲部５３ｂと接続した第２直線部５３ｃとを有する(図３Ａ参照）。直線部５３ａは、第３実施例の綿棒１３の側面視において、軸部１００の長手方向Ｘと平行であって、軸部１００の径の中心を通る軸線の延長線上かつその頭部２３に配置されている(図３Ｂ参照）。また、屈曲部５３ｂは、その直線部５３ａから屈折して接続され、頭部２３の先端部２３ａを、曲線状に回避するように配置され、第２直線部５３ｃに接続されている。第２直線部５３ｃも、第３実施例の綿棒１３の側面視において、軸部１００の長手方向Ｘと平行であって、軸部１００の径の中心を通る軸線の延長線上かつ頭部２３に配置されている(図３Ｃ参照）。
【００３１】
このように、第１直線部５３ａと、その第１直線部５３ａから屈折して接続した屈曲部５３ｂと、第２直線部５３ｃとを有する境界部５３によって、吸収部３３と、撥液部４３との領域が画定する。第３実施例の綿棒１３においては、このように画定した吸収部３３の領域の表面積と、撥液部４３の領域の表面積は、撥液部４３の領域の表面積が、吸収部３３の領域の表面積に比して大である。すなわち、撥液部４３が、屈曲部５３ｂにおいて、吸収部３３に入り込む状態を呈しており、頭部２３における先端部２３ａは、撥液部４３の領域であるために、撥液部４３の領域の表面積が、吸収部３３の領域の表面積に比して大となる構成である。尚、撥液部４３は、脱脂綿または合成繊維で構成した頭部２３の一部の表面のみを、撥液する塗料又は合成樹脂でコーティングすることで構成した場合において、その内部は、脱脂綿または合成繊維で構成されている。従って、吸収部３３から吸収された液体は、その内部における脱脂綿または合成繊維においても染み込み、その液体を一時的に保持することができる。よって、薬液を吸収部３３によって、塗布する場合に、その内部における脱脂綿または合成繊維は、その薬液の供給元となることができる。
【００３２】
次に第４実施例の綿棒１４について説明する。第４実施例の綿棒１４についても、主として滅菌した脱脂綿を固めた球状または長円球状を呈する頭部２４と、軸部１００とを有するものである。なお、軸部１００の構成は、第１実施例の綿棒１０の軸部１００と同様であるので同じ符号を付しその説明は省略する。
【００３３】
頭部２４は、脱脂綿にかぎらず、合成繊維を丸めて構成しても好ましい。また、頭部２４は、液体を含侵させその液体を塗布するための吸収部３４と、液体を吸収しないで弾く撥液部４４と、それらの境界線を規定する境界部５４と、を有する。吸収部３４は、上記のとおり液体を吸収し、それを保持するものであり、脱脂綿にかぎらず合成繊維で構成しても好ましい。すなわち吸収部３４は、上記頭部２４を構成している上述の脱脂綿、合成繊維を丸めたものそのものが露出するという構成である。
【００３４】
それに対して、撥液部４４は、文字通り液体を弾いて吸収しない、いわば撥液するというものであり、例えば、脱脂綿にかぎらず、合成繊維で構成した頭部２４の一部に、撥液する合成樹脂を塗布することで構成することができる。例えば、衛生的なゴム、合成樹脂、撥水塗料がこれに該当する。すなわち、上記頭部２４の表面に、撥液する合成樹脂をコーティングすることで、撥液部４４を構成している。もっとも、撥液部４４を全部合成樹脂で構成することで、液体を弾いて、吸収しないものとしても好ましい。
【００３５】
第４実施例の綿棒１４の境界部５４は、頭部２４に配置されている。また、境界部５４は、第１直線部５４ａと、その第１直線部５４ａから屈折して接続した屈曲部５４ｂと、その屈曲部５４ｂと接続した第２直線部５４ｃとを有する(図４Ａ参照）。直線部５４ａは、第４実施例の綿棒１４の側面視において、軸部１００の長手方向Ｘと平行であって、軸部１００の径の中心を通る軸線の延長線上かつその頭部２４に配置されている(図４Ｂ参照）。また、屈曲部５４ｂは、その直線部５４ａから屈折して接続され、頭部２４の先端部２４ａを、曲線状に回避するように配置され、第２直線部５４ｃに接続されている。第２直線部５４ｃも、第４実施例の綿棒１４の側面視において、軸部１００の長手方向Ｘと平行であって、軸部１００の径の中心を通る軸線の延長線上かつ頭部２３に配置されている(図４Ｃ参照）。
【００３６】
このように、第１直線部５４ａと、その第１直線部５４ａから屈折して接続した屈曲部５４ｂと、第２直線部５４ｃとを有する境界部５４によって、吸収部３４と。撥液部４４との領域が画定する。第４実施例の綿棒１４においては、このように画定した吸収部３４の領域の表面積と、撥液部４４の領域の表面積は、吸収部３４の領域の表面積が、撥液部４４の領域の表面積に比して大である。すなわち、吸収部３４が、屈曲部５４ｂにおいて、撥液部４４に入り込む状態を呈しており、頭部２４における先端部２４ａは、吸収部３４の領域であるために、吸収部３４の領域の表面積が、撥液部４４の領域の表面積に比して大となる構成である。尚、撥液部４４は、脱脂綿または合成繊維で構成した頭部２４の一部の表面のみを、撥液する塗料又は合成樹脂でコーティングすることで構成した場合において、その内部は、脱脂綿または合成繊維で構成されている。従って、吸収部３４から吸収された液体は、その内部における脱脂綿または合成繊維においても染み込み、その液体を一時的に保持することができる。よって、薬液を吸収部３４によって、塗布する場合に、その内部における脱脂綿または合成繊維は、その薬液の供給元となることができる。
【００３７】
上記構成の第１実施例の綿棒１０、第２実施例の綿棒１２、第３実施例の綿棒１３、第４実施例の綿棒１４、におけるそれぞれの吸収部３１、吸収部３２、吸収部３３、吸収部３４についてそれぞれ液体を染み込ませることができる。例えばその液体は薬液であれば、吸収部３１、吸収部３２、吸収部３３、吸収部３４から、その患部に塗布する際に好適である。その際に上記のとおり所定の領域のみに、それらの吸収部３１、吸収部３２、吸収部３３、吸収部３４が配置されているので、目的の患部以外に薬液が付着する恐れを可及的に減少させることができる。すなわち、撥液部４１、撥液部４２、撥液部４３、撥液部４４は、文字通り液体を弾いて、吸収しないというものであるので、薬液を吸収することがない。従って、これら撥液部４１、撥液部４２、撥液部４３、撥液部４４から薬液が染み出すことがない。よって、これら撥液部４１、撥液部４２、撥液部４３、撥液部４４が、目的の部位以外に接触したとしてもその薬液をその目的の部位以外に塗布するということがない。
【００３８】
なお、本発明者は、歯科医であり、永年地域の医療活動の結果、地域住民の健康増進に貢献し、特に校医として学童、児童の健康増進に貢献した経験から、希ヨードチンキ液が、歯垢の染め出しに使用することに好適であることを見出した。すなわち、従来の歯垢を染め出すための染め出し剤で歯垢を染めることができるものの、一度歯垢を染めるとその色彩が長時間消滅しにくいこという問題が生じている。これを解決するものとして歯垢を染めることができ、かつ比較的短時間でその色彩が消滅するものであって、使用者の負担にならないものを探求した結果、希ヨードチンキ液Ｙが最適であることを見出したのである。
【００３９】
従って、上記構成の第１実施例の綿棒１０、第２実施例の綿棒１２、第３実施例の綿棒１３、は第４実施例の綿棒１４、におけるそれぞれの吸収部３１、吸収部３２、吸収部３３、吸収部３４ついてそれぞれ希ヨードチンキ液Ｙを染み込ませ、それを個別に包装した上で、密封し、希ヨードチンキ液Ｙが漏れないように水密性を保持するように合成樹脂フィルムで構成されたパック５００に封入することができる。なお、希ヨードチンキ液Ｙとは、例えば、１リットル中  ヨウ素３グラムを含有するものであり、添加物として、ヨウ化カリウム、エタノールを含有するものである。
【００４０】
なお、図５においては、パック５００に第１実施例の綿棒１０を封入した実施例を記載している。図示しないが、同様にパック５００に第２実施例の綿棒１２、第３実施例の綿棒１３、は第４実施例の綿棒１４、を封入できることは言うまでもない。なお、この場合に軸部１００は、合成樹脂で作成することが好ましい。紙軸では薬液が染みてしまい図示しない使用者の手が汚れてしまうからである。
【００４１】
上記構成の第１実施例の綿棒１０における吸収部３１は、図１で示したとおり、頭部２１の下半分が吸収部３１の領域であり上半分が撥液部４１の領域となる。従って、図示しない使用者が自分の歯に、希ヨードチンキ液を塗布する場合に、上半分の吸収部３１の領域をその使用者の歯に向け、下半分が撥液部４１の領域を、その使用者のほほの内側に向けることで、その希ヨードチンキ液が使用者のほほの内側に付着する可能性を可及的に防止することができる。
【００４２】
他の実施例の第２実施例の綿棒１２、第３実施例の綿棒１３、第４実施例の綿棒１４、についても、使用者の意図しない箇所への薬液(例えば、希ヨードチンキ液Ｙ)の付着を可及的に防止することができる。
【００４３】
すなわち、上記構成の第２実施例の綿棒１２は、例えば図示しない使用者の口腔内における奥歯に薬液を塗布しつつ、使用者の意図しないその他の箇所への薬液(例えば、希ヨードチンキ液Ｙ)の付着を可及的に防止することができる。また、上記構成の第３実施例の綿棒１３は、例えば、図示しない使用者の口腔内における奥歯にその薬液が付着する可能性を可及的に防止しつつその奥歯の手前の歯に薬液を塗布することができる、またその際に、ほほの内側にその薬液の付着する可能性を可及的に防止することができるというものである。また、上記構成の第４実施例の綿棒１４は、例えば図示しない使用者の口腔内における奥歯とその手前の歯に薬液を塗布しつつ、その使用者のほほの内側にその薬液の付着する可能性を可及的に防止することができる。
【符号の説明】
【００４４】
１０  第１実施例の綿棒
１２  第２実施例の綿棒
１３  第３実施例の綿棒
１４  第４実施例の綿棒
２１、２２、２３、２４  頭部
３１、３２、３３、３４  吸収部
４１、４２、４３、４４  撥液部
５１、５２、５３、５４  境界部
５３ａ、５４ａ  第１直線部
５３ｂ、５３ｂ  屈曲部
５３ｃ、５４ｃ  第２直線部
１００  軸部
５００  パック
【図１】
2020044117.tif 000003
【図２】
2020044117.tif 000004
【図３】
2020044117.tif 000005
【図４】
2020044117.tif 000006
【図５】
2020044117.tif 000007